(57)【要約】      （修正有）【課題】浴室換気乾燥装置において、換気運転における室内外の圧力差を給気用送風機を制御することで、住宅内の換気の機能性及び快適性を確保可能とする。【解決手段】浴室を含む複数の室内の空気を屋外に排出する換気用送風機５と、外気を室内に取り入れる給気用送風機９と、室内外の圧力差を検知する気圧センサー８と、前記給気用送風機９を制御する制御手段７と、前記換気用送風機５と前記給気用送風機９により生じた室内外の圧力差を前記気圧センサー８で検知し、その検知した室内外の圧力差に基づき、前記給気用送風機の運転または停止を制御する制御手段７を備える構成とする。【選択図】図１
2008170123.tif 000002
【特許請求の範囲】
【請求項１】
浴室を含む複数の室内の空気を屋外に排出する換気用送風機と、外気を室内に取り入れる給気用送風機と、室内外の圧力差を検知する気圧センサーと、前記給気用送風機を制御する制御手段を備え、前記換気用送風機と前記給気用送風機により生じた室内外の圧力差を前記気圧センサーで検知し、その検知した室内外の圧力差に基づき、前記給気用送風機の運転または停止を制御することを特徴とする浴室換気乾燥装置。
【請求項２】
室内外の圧力の差は、換気量と換気用送風機のモータの回転数で検知することを特徴とする請求項１記載の浴室換気乾燥装置。
【請求項３】
給気用送風機の制御は、運転あるいは停止信号及び換気用送風機の能力に合わせて、前記給気用送風機へ風量を可変させることを特徴とする請求項１記載の浴室換気乾燥装置。
【請求項４】
給気用送風機の制御は、運転あるいは停止信号及び前記給気用送風機の能力に合わせて風量を可変させることを特徴とする請求項１記載の浴室換気乾燥装置。
【請求項５】
給気用送風機の運転から所定時間経過後、室内が負圧である際には、換気用送風機の風量を低下するように制御することを特徴とする請求項１から４の何れかに記載の浴室換気乾燥装置。
【請求項６】
室内外の圧力差の変化量に応じて、給気用送風機の運転を変更することを特徴とする請求項１から５の何れかに記載の浴室換気乾燥装置。
【請求項７】
室内外の圧力差の変化量が所定値以上であることを検知した場合、給気用送風機の風量を低下することを特徴とする請求項１から６の何れかに記載の浴室換気乾燥装置。
【請求項８】
換気用送風機の風量が所定値を下回らないようにしたことを特徴とする請求項１から７の何れかに記載の浴室換気乾燥装置。
【請求項９】
室内外の圧力差により換気風量を減少させた場合、所定時間を超えると、換気用送風機の運転を変更し、換気風量を増加させることを特徴とする請求項１記載の浴室換気乾燥装置。
【発明の詳細な説明】
【技術分野】
【０００１】
本発明は、例えば、浴室を含む複数の室内を換気する場合、給気用送風機を制御する制御手段を有する浴室換気乾燥装置などの運転方法に関する。
【背景技術】
【０００２】
近年、換気設備の義務付けによる一般住宅や集合住宅における換気機能の重要性が求められており、通常行う換気運転の他に常時換気を行う常時換気運転が設けられている。換気運転を行っている際、その弊害として換気運転における室内外の圧力差による課題が生じており、機能性と快適性の両立が求められている。
【０００３】
従来、この種の浴室換気乾燥装置は、暖房、換気、乾燥等の運転を行なうと共に、各種空調モードの換気モードとは別に、断続的または連続的に換気運転を行う常時換気運転モードを備えてなるものが知られている（例えば、特許文献１参照）。
【０００４】
以下、その特許文献１における浴室換気乾燥装置について図９を参照しながら説明する。
【０００５】
図に示すように、浴室換気乾燥装置は、浴室、脱衣室及びトイレから成るサニタリ領域以外の各居室ＬＲ（寝室、リビングルーム等）には、外気を室内に取り入れる給気口１２５を設けると共に、サニタリ領域と各居室ＬＲとの間の通風を可能にするために、各居室ＬＲのドアにはアンダーカットやガラリ（図示は省略）が設けてある。換気送風機Ｍは内蔵の換気用通風手段が浴室ＢＲに吸気作用するように、浴室ＢＲの天井部に取り付けると共に、換気送風機Ｍと脱衣室ＤＲ及びトイレＴＲのそれぞれの天井部に設けた吸込みグリル１１９と、吸気ダクト１２０で接続して内蔵の換気用通風手段により脱衣室ＤＲ及びトイレＴＲが吸気作用をするようにしてある。
【０００６】
また、吸込み空気を排気ダクト１２２を通じて排気グリル１２１から屋外に排気するようにしてある。そして、例えば小換気量運転モードで換気装置Ｍを常時運転することにより、図９に示すように、各居室ＬＲの給気口１２５から外気を取り入れると共に、各居室ＬＲからサニタリ領域へ空気を流動させて、サニタリ領域の空気と共に排気することにより、高気密住宅の全域にわたって換気を行えるように構成していた。
【特許文献１】特開２０００−３４６４１０号公報（第７図）
【発明の開示】
【発明が解決しようとする課題】
【０００７】
このような従来の浴室換気乾燥装置では、自然給気口と排気用の換気送風機を用いた構成となっており、換気を行う際の給気量は室内外の温度差や外風などによる影響を受け、給気量と排気量のバランスが取りにくく室内外の圧力差が生じるという課題があった。また、特にマンション等の高層階では外風が強い時が多く給気口を閉じてしまうなど給気量が確保されないケースもあり、この給気量が不足すると、換気送風機をいくら回してもその能力を発揮出来ないことや、換気送風機の回転が上がり騒音が高くなるという課題があった。
【０００８】
さらに、給気口や窓の隙間からピューピュー音がする、または、室内が負圧になってその圧力でドアが開かないなどという課題があり、住宅内の換気における機能性と快適性が求められている。
【０００９】
本発明は、このような従来の課題を解決するものであり、外気を室内に取り入れる給気用送風機を制御する制御手段を備え、換気運転時に室内外の圧力差が生じないようにし、また、給気量不足による換気送風機の騒音を無くし、さらに、給気口や窓の隙間からの音や、室内が負圧になりその圧力の影響でドアが開きにくくならないようにすることを可能とした浴室換気乾燥装置を提供することを目的としている。
【課題を解決するための手段】
【００１０】
本発明の浴室換気乾燥装置は上記目的を達成するために、浴室を含む複数の室内の空気を屋外に排出する換気用送風機と、外気を室内に取り入れる給気用送風機と、室内外の圧力差を検知する気圧センサーと、前記給気用送風機を制御する制御手段を備え、前記換気用送風機と前記給気用送風機により生じた室内外の圧力差を前記気圧センサーで検知し、その検知した室内外の圧力差に基づき、前記給気用送風機の運転または停止を制御する構成としたものである。
【００１１】
この手段により、気圧センサーからの信号を制御手段で判断し、内外の圧力差に応じて給気用送風機を運転あるいは停止させることにより、室内外の圧力差を防止することができる。
【００１２】
また、室内外の圧力の差は、換気量と換気用送風機のモータの回転数で検知する構成としたものである。
【００１３】
この手段により、必要な換気量に対する換気用送風機の回転数により、室内外の圧力差を判断し、給気用送風機を制御することにより、室内外の圧力差を防止することができる。
【００１４】
さらに、給気用送風機の制御は、運転あるいは停止信号及び換気用送風機の能力に合わせて、前記給気用送風機へ風量を可変させる構成としたものである。
【００１５】
この手段により、換気用送風機の運転停止に合わせて給気用送風機を制御し、さらに換気用送風機の能力にも合わせて給気用送風機を制御すことにより、換気量の変化に素早く給気量を対応させることができる。
【００１６】
また、給気用送風機の制御は、運転あるいは停止信号及び前記給気用送風機の能力に合わせて風量を可変させる構成としたものである。
【００１７】
この手段により、換気用送風機の運転停止に合わせて給気用送風機を制御し、さらに給気用送風機の能力にも合わせても連動させることにより、給気量を細かく制御することができる。
【００１８】
さらに、給気用送風機の運転から所定時間経過後、室内が負圧である際には、換気用送風機の風量を低下するように制御するよう構成としたものである。
【００１９】
この手段により、換気用送風機の換気風量を一時的に減少させることで、室内外の圧力差を防止することができる。
【００２０】
また、室内外の圧力差の変化量に応じて、給気用送風機の運転を変更するような構成としたものである。
【００２１】
この手段により、圧力差の変化量に応じて、給気用送風機を制御し、室外からの空気を増減させることができ、室内外の圧力差をすばやく防止することができる。
【００２２】
さらに、室内外の圧力差の変化量が所定値以上であることを検知した場合、給気用送風機の出力風量を低下するような構成としたものである。
【００２３】
この手段により、換気風量を減少させることなく、規定風量を確保することができる。
【００２４】
また、換気用送風機の風量が所定値を下回らないような構成としたものである。
【００２５】
この手段により、規定風量を下回らないように給気用送風機の運転停止を変更することができ、換気風量を確保することができる。
【００２６】
さらに、室内外の圧力差により換気風量を減少させた場合、所定時間を超えると、換気用送風機の運転を変更し、換気風量を増加させる構成としたものである。
【００２７】
この手段により、一時的に換気用送風機の換気風量を減少させた状態から換気運転における換気風量を規定風量に戻すことができる。
【発明の効果】
【００２８】
本発明によれば、浴室を含む複数の室内の空気を屋外に排出する換気用送風機と、外気を室内に取り入れる給気用送風機と、室内外の圧力差を検知する気圧センサーと、前記給気用送風機を制御する制御手段を備え、前記換気用送風機と前記給気用送風機により生じた室内外の圧力差を前記気圧センサーで検知し、その検知した室内外の圧力差に基づき、前記給気用送風機の運転または停止を制御する構成とすることで、気圧センサーからの信号を制御手段で判断し、内外の圧力差に応じて給気用送風機を制御することにより、室内外の圧力差が生じないように防止することができるという効果のある浴室換気乾燥装置を提供できる。
【００２９】
また、室内外の圧力の差は、換気量と換気用送風機のモータの回転数で検知する構成とすることで、必要な換気量に対する換気用送風機の回転数により、室内外の圧力差を判断し、給気用送風機を制御することにより、室内外の圧力差を防止することができ、また特別なセンサーを使用することなく、コストも安価にできるという効果も得られる浴室換気乾燥装置を提供できる。
【００３０】
さらに、給気用送風機の制御は、運転あるいは停止信号及び換気用送風機の能力に合わせて、前記給気用送風機へ風量を可変させる構成とすることで、換気用送風機の運転停止に合わせて給気用送風機を制御し、さらに換気用送風機の能力にも合わせて給気用送風機を制御すことにより、換気量の変化に素早く給気量を対応させることができるという効果のある浴室換気乾燥装置を提供できる。
【００３１】
また、給気用送風機の制御は、運転あるいは停止信号及び前記給気用送風機の能力に合わせて風量を可変させる構成とすることで、換気用送風機の運転停止に合わせて給気用送風機を制御し、さらに給気用送風機の能力にも合わせても連動させることにより、給気量を細かく制御することができるという効果のある浴室換気乾燥装置を提供できる。
【００３２】
さらに、給気用送風機の運転から所定時間経過後、室内が負圧である際には、換気用送風機の風量を低下するように制御するような構成とすることで、換気用送風機の換気風量を一時的に減少させることで、室内外の圧力差を防止することができるという効果のある浴室換気乾燥装置を提供できる。
【００３３】
また、室内外の圧力差の変化量に応じて、給気用送風機の運転を変更するような構成とすることで、圧力差の変化量に応じて、給気用送風機を制御し、室外からの空気を増減させることができ、室内外の圧力差をすばやく防止することができるという効果のある浴室換気乾燥装置を提供できる。
【００３４】
さらに、室内外の圧力差の変化量が所定値以上であることを検知した場合、給気用送風機の出力風量を低下するような構成とすることで、換気風量を減少させることなく、規定風量を確保することができるという効果のある浴室換気暖房乾燥装置を提供できる。
【００３５】
また、換気用送風機の風量が所定値を下回らないような構成とすることで、規定風量を下回らないように給気用送風機の運転停止を変更することができ、換気風量を確保することができるという効果のある浴室換気乾燥装置を提供できる。
【００３６】
さらに、室内外の圧力差により換気風量を減少させた場合、所定時間を超えると、換気用送風機の運転を変更し、換気風量を増加させる構成とすることで、一時的に換気用送風機の換気風量を減少させた状態から、換気運転における換気風量を規定風量に戻すことができるという効果のある浴室換気乾燥装置を提供できる。
【発明を実施するための最良の形態】
【００３７】
本発明の請求項１記載の発明は、浴室を含む複数の室内の空気を屋外に排出する換気用送風機と、外気を室内に取り入れる給気用送風機と、室内外の圧力差を検知する気圧センサーと、前記給気用送風機を制御する制御手段を備え、前記換気用送風機と前記給気用送風機により生じた室内外の圧力差を前記気圧センサーで検知し、その検知した室内外の圧力差に基づき、前記給気用送風機の運転または停止を制御する構成としたものであり、気圧センサーからの信号を制御手段で判断し、内外の圧力差に応じて給気用送風機を制御することにより、室内外の圧力差が生じないように防止することができるという作用を有する。
【００３８】
また、室内外の圧力の差は、換気量と換気用モータの回転数で検知する構成としたものであり、必要な換気量に対する換気用送風機の回転数により、室内外の圧力差を判断し、給気用送風機を制御することにより、室内外の圧力差を防止することができるという作用を有する。
【００３９】
さらに、給気用送風機の制御は、運転あるいは停止信号及び換気用送風機の能力に合わせて、前記給気用送風機へ風量を可変させる構成としたものであり、換気用送風機の運転あるいは停止に合わせて給気用送風機が制御し、さらに換気用送風機の能力にも合わせても給気用送風機を制御すことにより、換気量の変化に素早く給気量を対応させることができるという作用を有する。
【００４０】
また、給気用送風機の制御は、運転あるいは停止信号及び前記給気用送風機の能力に合わせて風量を可変させる構成としたものであり、換気用送風機の運転停止に合わせて給気用送風機を制御し、さらに給気用送風機の能力にも合わせても連動させることにより、給気量を細かく制御することができるという作用を有する。
【００４１】
さらに、給気用送風機の運転から所定時間経過後、室内が負圧である際には、換気用送風機の風量を低下するように制御するような構成としたものであり、換気用送風機の換気風量を一時的に減少させることで、室内外の圧力差を防止することができるという作用を有する。
【００４２】
また、室内外の圧力差の変化量に応じて、給気用送風機の運転を変更するような構成とすることで、圧力差の変化量に応じて、給気用送風機を制御し、室外からの空気を増減させることができ、室内外の圧力差をすばやく防止することができるという作用を有する。
【００４３】
さらに、室内外の圧力差の変化量が所定値以上であることを検知した場合、給気用送風機の出力風量を低下するような構成としたものであり、換気風量を減少させることなく、規定風量を確保することができるという作用を有する。
【００４４】
また、換気用送風機の風量が所定値を下回らないような構成とすることで、規定風量を下回らないように給気用送風機の運転停止を変更することができ、換気風量を確保することができるという作用を有する。
【００４５】
さらに、室内外の圧力差により換気風量を減少させた場合、所定時間を超えると、換気用送風機の運転を変更し、換気風量を増加させる構成としたものであり、一時的に換気風量を減少させた状態から、換気運転における換気風量を規定風量に戻すことができるという作用を有する。
【００４６】
以下、本発明の実施の形態について図面を参照しながら説明する。
【００４７】
（実施の形態１）
図１は、本実施の形態１における浴室換気乾燥装置の構成図を示す。
【００４８】
図１に示すように、浴室１３と脱衣室１２とトイレ１１と居室１０を含む複数の室内の空気を屋外に排出する換気用送風機５と、外気を室内に取り入れる給気用送風機９と、室内外の圧力差を気圧センサー８で検知し、前記気圧センサー８からの信号を取り込み、さらに前記給気用送風機９へ運転あるいは停止信号を出力し、換気運転時に室内外の圧力差が生じないようにする制御手段７を備えている。
【００４９】
なお、気圧センサー８の設置場所は、室内外の圧力差が得られる箇所であれば特に設置場所は問わない。
【００５０】
次に制御手段７のフロチャートについて図２を参照しながら説明する。
【００５１】
図２に示すように、制御手段７は、運転モード処理２０で換気運転モードが選択されているか確認する。次に室内外の圧力取込処理２１、２２で気圧センサー８で検知した値を取り込み、室内圧力ＰＩと室外圧力ＰＯの値を比較する。その結果、室内外圧力差比較処理２３、２４にて、室外圧力が高い場合は、室内は負圧になっている状態なので給気用送風機９へ運転指令処理２５より出力し、外気を室内に取り入れる給気用送風機９を駆動させる。また、室内圧力が高い場合は、室内が正圧になっている状態なので給気用送風機９へ停止指令処理２６より出力し、外気を室内へ取り入れる給気用送風機９を停止させる。
【００５２】
以上のように、本実施の形態１によれば、室内外の圧力差を逐次取り込み、室内外の圧力を比較し、給気用送風機９を制御することで、室内外の圧力差が生じないように防止することができる。
【００５３】
（実施の形態２）
実施の形態１と同一部分は同一番号を附し、詳細な説明は省略する。
【００５４】
図３は、本実施の形態２における浴室換気乾燥装置の構成図を示す。
【００５５】
図３に示すように、浴室１３と脱衣室１２とトイレ１１と居室１０を含む複数の室内の空気を屋外に排出する換気用送風機５と、外気を室内に取り入れる給気用送風機９と、通常使用状態における必要な換気量に対する換気用送風機５の回転数を予め認識し、その値をデフォルト値として制御手段７ｂ内でメモリーしておき、その後、所定時間毎に回転数を取り込み、必要な換気用送風機５の回転数と比較し、前記給気用送風機９へ運転あるいは停止信号を出力することにより、換気運転時に室内外の圧力差が生じないようにする制御手段７ｂを備えている。
【００５６】
次に制御手段７ｂのフローチャートについて図４を参照しながら説明する。
【００５７】
図４に示すように、制御手段７ｂは、運転モード処理３０で換気運転モードが選択されているか確認する。次に時間カウント処理３１で所定時間（例えば１時間）毎に回転数取込処理３２から換気用送風機５の回転数を取り込み、必要な換気用送風機５の回転数（デフォルト値）と、所定時間毎に取り込んだ回転数を回転数比較処理３３、３４で比較し、回転数の差が、例えば、デフォルト値プラス１００回転より大きい場合は、室内は負圧になっている状態なので給気用送風機９へ運転指令処理３６より出力し、外気を室内に取り入れる給気用送風機９を駆動させる。また、回転数の差が、例えば、デフォルト値マイナス１００回転より小さい場合は、室内が正圧になっている状態なので給気用送風機９へ停止指令処理３５より出力し、外気を室内へ取り入れる給気用送風機９を停止させる。
【００５８】
なお、回転数を１００回転以上としたのは、換気用送風機５及び回転数の検出誤差等を考慮した値である。
【００５９】
以上のように、本実施の形態２によれば、通常使用状態における必要な換気量に対する換気用送風機５の回転数を予め認識（デフォルト値）し、所定時間毎に回転数を取り込み、必要な換気用送風機５の回転数と比較し、その回転数の差により給気用送風機９を制御することで、室内外の圧力差が生じないように防止することができる。
【００６０】
（実施の形態３）
実施の形態１、２と同一部分は同一番号を附し、詳細な説明は省略する。
【００６１】
本実施の形態３は、制御手段７において、給気用送風機９の制御方法が、運転あるいは停止信号に加えて、換気用送風機５の能力に合わせて、前記給気用送風機９の風量を可変させるもので、浴室換気乾燥装置の構成図は実施の形態１における構成と同一であるので説明は省略する。
【００６２】
次に本実施の形態３における制御手段７のフローチャートについて図５を参照しながら説明する。
【００６３】
図５に示すように、制御手段７は、運転モード処理４０で換気運転モードが選択されているか確認する。次に換気風量選択処理４１にて換気運転モードにおける風量設定を判断し、換気モードが強設定の場合は、給気用送風機９へ給気用送風機運転指令処理４２より強を出力する。また、換気モードが弱設定の場合は、給気用送風機９へ給気用送風機運転指令処理４３より弱を出力する。
【００６４】
また、給気用送風機９の制御は、制御手段７より給気用送風機９の能力に合わせて、室外から取り込む空気の量を可変させることでより細かな運転ができる（図示せず）。
【００６５】
以上のように、本実施の形態３によれば、換気用送風機５及び給気用送風機９の能力に合わせて、制御手段７より、給気用送風機９を制御することで、換気量の変化に素早く対応することができる。
【００６６】
（実施の形態４）
実施の形態１乃至３と同一部分は同一番号を附し、詳細な説明は省略する。
【００６７】
本実施の形態４は、制御手段７において、給気用送風機９への出力から所定時間経過後に室内が負圧である場合、換気用送風機５の風量を低下させるもので、浴室換気乾燥装置の構成図は実施の形態１における構成と同一であるので説明は省略する。
【００６８】
次に本形態４における制御手段７のフローチャートについて図６を参照しながら説明する。
【００６９】
図６に示すように、制御手段７は、給気用送風機９へ運転指令を出力してからの所定時間（例えば１時間）経過を時間経過処理５０にて判断する。所定時間が経過した場合、室内外圧力判断処理５１により、室内の圧力状態を判断する。その結果、室内が負圧であれば、換気用送風機５の風量を低下（例えば１００回転）させる。
【００７０】
以上のように、本実施の形態４によれば、換気用送風機の換気風量を一時的に減少させることで、室内外の圧力差を防止することができる。
【００７１】
（実施の形態５）
実施の形態１乃至４と同一部分は同一番号を附し、詳細な説明は省略する。
【００７２】
本実施の形態５は、制御手段７において、室内外の圧力差の変化量に応じて給気用送風機９への風量出力を制御するもので、浴室換気乾燥装置の構成図は実施の形態１における構成と同一であるので説明は省略する。
【００７３】
次に本形態５における制御手段７のフローチャートについて図７を参照しながら説明する。
【００７４】
図７に示すように、制御手段７は、室内外の圧力を圧力取込処理６０により取込、その圧力から、室内外の圧力の変化量を６１で判断し、ある変化量（例えば２０Ｐａ）以上の場合、給気用送風機風量出力処理６２により、給気用送風機９の運転停止あるいは、風量を低下させる。
【００７５】
以上のように、室内外の圧力差により給気用送風機９を制御し、室外からの空気を増減させ、換気風量を減少させることなく、換気風量を確保することができる。
【００７６】
（実施の形態６）
実施の形態１乃至５と同一部分は同一番号を附し、詳細な説明は省略する。
【００７７】
本実施の形態６は、制御手段７において、室内外の圧力差により換気風量を減少させた場合、所定時間を超えると、換気用送風機の運転を変更し、換気風量を増加させ、換気用送風機５を制御するもので、浴室換気乾燥装置の構成図は実施の形態１における構成と同一であるので説明は省略する。
【００７８】
次に本形態６における制御手段７のフローチャートについて図８を参照しながら説明する。
【００７９】
図８に示すように、制御手段７は、室内外の圧力を圧力取込処理７０により取込、室内外圧力判断処理７１により、室内の圧力状態を判断する。その結果、室内が負圧であれば、換気用送風機５の換気量を換気運転の規定風量（例えば１２０ｍ３／ｈ）から、例えば１００ｍ３／ｈに減少させ、その時点から時間カウント処理７３により時間カウントを開始する。所定時間経過処理７４により、カウントした時間が所定時間（例えば１時間）経過した場合、換気用送風機５の風量を増加させ、換気運転の規定風量（１２０ｍ３／ｈ）に戻す処理を行う。なお、所定時間を１時間としたのは、住宅内における換気量が、規定風量不足とならないよう時間を想定したものである。
【００８０】
以上のように、本実施の形態６によれば、一時的に換気風量を減少させた状態から、換気運転における換気風量を規定風量に戻すことができる。
【産業上の利用可能性】
【００８１】
室内外の圧力差を無くすことで、換気の機能性かつ快適性を確保することを可能とすることができるため、宿泊施設等の設備に適用し、サービス性を向上させる用途にも適用できる。
【図面の簡単な説明】
【００８２】
【図１】本発明の実施の形態１の浴室換気乾燥装置の構成図
【図２】同制御手段７の制御フローチャート
【図３】本発明の実施の形態２の浴室換気乾燥装置の構成図
【図４】同制御手段７ｂの制御フローチャート
【図５】本発明の実施の形態３の制御手段７の制御フローチャート
【図６】本発明の実施の形態４の制御手段７の制御フローチャート
【図７】本発明の実施の形態５の制御手段７の制御フローチャート
【図８】本発明の実施の形態６の制御手段７の制御フローチャート
【図９】従来の特許文献１における浴室換気乾燥装置の構成図
【符号の説明】
【００８３】
１    浴室換気乾燥機
５    換気用送風機
７    制御手段
７ｂ  制御手段
８    気圧センサー
９    給気用送風機
【図１】
2008170123.tif 000003
【図２】
2008170123.tif 000004
【図３】
2008170123.tif 000005
【図４】
2008170123.tif 000006
【図５】
2008170123.tif 000007
【図６】
2008170123.tif 000008
【図７】
2008170123.tif 000009
【図８】
2008170123.tif 000010
【図９】
2008170123.tif 000011